(57)【要約】【課題】予め定められた期間が経過しても監視対象の状態を確認することができる監視データ再生装置及び監視データ再生方法を提供することである。【解決手段】実施形態の監視データ再生装置は、監視データ記憶部と、監視データ取得部と、画面生成部とを持つ。監視データ記憶部は、監視対象の稼働状態を表す状態情報と稼働状態となった日時を示す日時情報と予め定められた期間を経過した場合に削除されるか否かを示す保護情報とを含む監視データを記憶する。監視データ取得部は、予め定められた期間を経過しても削除されないことを示す保護情報を有し、かつ予め定められた期間を経過した監視データを監視データ記憶部から取得する。画面生成部は、取得された監視データに基づいて、予め定められた期間よりも過去の監視対象の状態を表す画面情報を生成する。【選択図】図１
2020017213.tif 000002
【特許請求の範囲】
【請求項１】
監視対象の稼働状態を表す状態情報と前記稼働状態となった日時を示す日時情報と予め定められた期間を経過した場合に削除されるか否かを示す保護情報とを含む監視データを記憶する監視データ記憶部と、
予め定められた期間を経過しても削除されないことを示す保護情報を有し、かつ前記予め定められた期間を経過した監視データを前記監視データ記憶部から取得する監視データ取得部と、
取得された前記監視データに基づいて、前記予め定められた期間よりも過去の前記監視対象の状態を表す画面情報を生成する画面生成部と、
を備える、監視データ再生装置。
【請求項２】
前記監視データ記憶部に記録された前記監視データを、外部記憶媒体に記録する監視データ記録部をさらに備える、
請求項１に記載の監視データ再生装置。
【請求項３】
前記画面生成部は、前記外部記憶媒体に記録された監視データに基づいて、前記画面情報を生成する、請求項２に記載の監視データ再生装置。
【請求項４】
前記監視データの選択を受け付ける入力部と、
選択された前記監視データに含まれる前記保護情報を所定の条件を満たした場合に削除されないことを示す保護情報に制御する監視データ保護制御部をさらに備える、
請求項２又は３に記載の監視データ再生装置。
【請求項５】
前記監視データ保護制御部は、前記監視データが前記外部記憶媒体に記録された場合、記録された前記監視データに含まれる前記保護情報を所定の条件を満たした場合に削除されることを示す保護情報に制御する、
請求項４に記載の監視データ再生装置。
【請求項６】
日時の異なる複数の画面情報に基づいて、外部の情報処理装置で再生可能な動画データを生成する動画データ生成部をさらに備える、
請求項１から５のいずれか一項に記載の監視データ再生装置。
【請求項７】
監視データ再生装置が、監視対象の稼働状態を表す状態情報と前記稼働状態となった日時を示す日時情報と予め定められた期間を経過した場合に削除されるか否かを示す保護情報とを含む監視データを監視データ記憶部に記憶する監視データ記憶ステップと、
監視データ再生装置が、予め定められた期間を経過しても削除されないことを示す保護情報を有し、かつ前記予め定められた期間を経過した監視データを前記監視データ記憶部から取得する監視データ取得ステップと、
監視データ再生装置が、取得された前記監視データに基づいて、前記予め定められた期間よりも過去の前記監視対象の状態を表す画面情報を生成する画面生成ステップと、
を有する、監視データ再生方法。
【発明の詳細な説明】
【技術分野】
【０００１】
本発明の実施形態は、監視データ再生装置及び監視データ再生方法に関する。
【背景技術】
【０００２】
監視システムは、監視対象の状態を表す状態情報を記録する。監視システムは、記録された状態情報に基づいて、監視対象の過去の状態を再生する機能を有する。監視対象の監視者は、再生された監視対象の過去の状態を確認することで、監視対象の状態を把握する。しかしながら、状態情報には予め定められた保存期間が設けられている。保存期間を経過した状態情報は、監視システムから削除される。このため、監視システムは、保存期間を経過した状態情報に基づいて、監視対象の状態を確認することができないという問題があった。
【先行技術文献】
【特許文献】
【０００３】
【特許文献１】特開２０１５−１６５３４３号公報
【発明の概要】
【発明が解決しようとする課題】
【０００４】
本発明が解決しようとする課題は、予め定められた期間が経過しても監視対象の状態を確認することができる監視データ再生装置及び監視データ再生方法を提供することである。
【課題を解決するための手段】
【０００５】
実施形態の監視データ再生装置は、監視データ記憶部と、監視データ取得部と、画面生成部とを持つ。監視データ記憶部は、監視対象の稼働状態を表す状態情報と前記稼働状態となった日時を示す日時情報と予め定められた期間を経過した場合に削除されるか否かを示す保護情報とを含む監視データを記憶する。監視データ取得部は、予め定められた期間を経過しても削除されないことを示す保護情報を有し、かつ前記予め定められた期間を経過した監視データを前記監視データ記憶部から取得する。画面生成部は、取得された前記監視データに基づいて、前記予め定められた期間よりも過去の前記監視対象の状態を表す画面情報を生成する。
【図面の簡単な説明】
【０００６】
【図１】実施形態の監視データ再生システムの一具体例を示す構成図。
【図２】実施形態の監視データ記憶装置の機能構成を表す機能ブロック図。
【図３】実施形態の監視操作端末の機能構成を表す機能ブロック図。
【図４】実施形態の監視データテーブルの具体例を示す図。
【図５】実施形態のプロセスフロー画面の画面情報の一具体例を示す図。
【発明を実施するための形態】
【０００７】
以下、実施形態の監視データ再生装置及び監視データ再生方法を、図面を参照して説明する。
【０００８】
図１は、実施形態の監視データ再生システム１の一具体例を示す構成図である。監視データ再生システム１は、監視対象の稼働状態を示す画像を再生する。監視データ再生システム１は、監視データ記憶装置１００、監視操作端末２００及び複数のコントローラ３００を備える。監視データ記憶装置１００、監視操作端末２００及び複数のコントローラ３００は、監視ネットワーク４００を介して通信可能に接続される。監視対象は、監視操作端末２００によって監視される対象である。監視対象は、例えば、監視操作端末２００が水処理プラントを監視する場合、ポンプ、濾過機、貯槽、調整機構（例えば、調整弁）等である。
【０００９】
監視データ記憶装置１００は、パーソナルコンピュータ又はサーバ等の情報処理装置である。監視データ記憶装置１００は、コントローラ３００から監視対象の状態を表す信号を取得する。監視データ記憶装置１００は、取得した信号によって表される監視対象の状態と日時とを対応付けて、監視データとして記憶する。監視データ記憶装置１００は、監視操作端末２００からの指示に基づいて、監視データに対して所定の処理を行う。監視対象の状態は、例えば、文字列で表される。以下、監視対象の稼働状態を表す文字列を「状態情報」という。状態情報は、例えば、監視対象がどのような機器であり、監視対象のどのような情報を表しているのかを示す。状態情報は、例えば、監視対象が故障している場合「故障」であることを示す情報が含まれていてもよい。状態情報は、例えば、監視対象が運転中である場合「運転」であることを示す情報が含まれていてもよい。監視対象の状態は、例えば、数値で表されてもよい。以下、監視対象の稼働状態を表す数値を「プロセス値」という。プロセス値は、離散値、連続値のいずれでもよく、どのような値でもよい。監視対象の状態は、状態情報とプロセス値とで表されてもよい。監視対象の状態を示す信号は、デジタル信号、アナログ信号のいずれでもよく、どのような信号でもよい。
【００１０】
監視操作端末２００は、パーソナルコンピュータ又はサーバ等の情報処理装置である。監視操作端末２００は、ユーザが監視対象を監視するために用いられる装置である。監視操作端末２００は、監視データ記憶装置１００に記録された監視データに基づいて、所定の画面情報を生成する。所定の画面情報は、例えば監視対象のプロセスフロー画面であってもよいし、トレンドグラフであってもよいし、プロセスフロー画面において再生される動画像を制御可能なコントローラ画面であってもよいし、プロセスフロー画面の再生において用いられる状態情報が持つ日時を表す情報を抽出可能なダイアログ画面であってもよい。所定の画面情報は、ユーザが監視対象を監視するために用いられる画面であればどのような画面であってもよい。監視操作端末２００は、監視データ記憶装置１００に対して、監視データに対して所定の処理を行う指示を送信する。ユーザは、監視員又はオペレータ等の監視データ再生システム１を使用する者であればどのような者であってもよい。
【００１１】
コントローラ３００は、ＰＬＣ（Programmable Logic Controller）等の制御装置である。コントローラ３００は、センサなどを通じて監視対象の状態を示す信号を取得する。コントローラ３００は、コントローラ３００毎に水温又は水位等の異なる監視対象の状態を示す信号を取得する。コントローラ３００は、取得した信号を監視データ記憶装置１００へ送信する。
【００１２】
図２は、実施形態の監視データ記憶装置１００の機能構成を表す機能ブロック図である。監視データ記憶装置１００は、バスで接続されたＣＰＵ（Central Processing Unit）やメモリや補助記憶装置などを備え、監視データ記憶プログラムを実行することによって通信部１０１、外部入出力部１０２、監視データ記憶部１０３及び制御部１０４を備える装置として機能する。なお、通信部１０１、外部入出力部１０２、監視データ記憶部１０３及び制御部１０４の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。監視データ記憶プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。監視データ記憶プログラムは、電気通信回線を介して送信されてもよい。
【００１３】
通信部１０１は、ネットワークインタフェースである。通信部１０１は監視ネットワーク４００を介して、監視操作端末２００又は複数のコントローラ３００と通信する。通信部１０１は、例えば無線ＬＡＮ（Local Area Network）、有線ＬＡＮ、ＬＴＥ（Long Term Evolution）（登録商標）又は５Ｇ等の通信方式で通信してもよいし、専用線等の閉域通信網で通信してもよい。
【００１４】
外部入出力部１０２は、外部記憶媒体１１０を接続可能なインタフェースである。外部入出力部１０２は、接続された外部記憶媒体１１０に対して、情報の取得又は情報の記録を行う。外部入出力部１０２は、例えば、ＵＳＢ（Universal Serial Bus）であってもよいし、ＳＤカード等のフラッシュメモリカードスロットであってもよいし、ＨＤＭＩ（High-Definition Multimedia Interface）（登録商標）であってもよいし、Ｔｈｕｎｄｅｒｂｏｌｔであってもよいし、ＩＥＥＥ１３９４であってもよいし、ＡＴＡ（AT Attachment）であってもよい。外部入出力部１０２は、どのようなインタフェースであってもよい。図２の例では、外部入出力部１０２は、１つのインタフェースを備える構成が示されているが、これに限定されない。例えば、外部入出力部１０２が備えるインタフェースの数は２つ以上設けられてもよい。
【００１５】
外部記憶媒体１１０は、外部入出力部１０２を介して監視データ記憶装置１００に接続可能な機器である。外部記憶媒体１１０は、例えばＵＳＢメモリ、ＳＤカード等のフラッシュメモリカード又はＨＤＤ等の記憶媒体であればどのような機器であってもよい。外部記憶媒体１１０は、監視データ記憶装置１００に接続されることで、監視データ記憶装置１００に記録された監視データの取得を行う。外部記憶媒体１１０は、監視データ記憶装置１００に接続されることで、外部記憶媒体１１０に記録されたデータ（例えば、監視データ）を、監視データ記憶部１０３に送信する。外部記憶媒体１１０は、監視データ記憶装置１００に接続されることで、監視データに基づいて生成された動画データを記録してもよい。動画データについては後述する。
【００１６】
監視データ記憶部１０３は、磁気ハードディスク装置や半導体記憶装置等の記憶装置を用いて構成される。監視データ記憶部１０３は、監視データテーブルを記憶する。監視データテーブルは、監視データを記憶する。監視データは、例えばコントローラ３００から取得した信号と日時とが対応付けられたデータである。監視データは、監視対象の状態を表す状態情報を有する。監視データは、プロセス値を有してもよい。
【００１７】
図４は、実施形態の監視データテーブルの具体例を示す図である。監視データテーブルは、監視データレコードを有する。監視データレコードは、日時情報、状態情報、プロセス値及び保護情報の各値を有する。日時情報は、コントローラ３００から信号を取得した日時を表す。日時情報は、監視データ記憶装置１００に内蔵された時計から取得されてもよいし、ＮＴＰ（Network Time Protocol）サーバ等の外部の装置から取得されてもよい。状態情報は、監視対象の状態を表す。状態情報は、コントローラ３００から取得される信号によって表される。プロセス値は、監視対象の状態を表す数値である。プロセス値は、コントローラ３００から取得される信号によって表される。プロセス値は、状態情報に応じて、監視データに含まれない場合があってもよい。保護情報は、所定の条件を満たした監視データレコードを削除するか否かを表す。保護情報の値が“保護する”の場合、所定の条件を満たした場合であっても、監視データレコードは削除されない。保護情報の値が“保護しない”の場合、所定の条件を満たした場合、監視データレコードは削除される。所定の条件とは、６カ月、１２カ月等のように予め定められた期間であってもよいし、監視データ記憶部１０３の記憶容量が枯渇した場合であってもよいし、これらを併用してもよい。
【００１８】
図４に示される例では、監視データテーブルの最上段の監視データレコードは、日時情報の値が“２０１８／１／３０  １２：１５”、状態情報の値が“ポンプ運転”、プロセス値の値が空値、保護情報の値が“保護する”である。従って、監視データテーブルの最上段のレコードによると、コントローラ３００から取得した信号は、日時情報“２０１８／１／３０  １２：１５”に“ポンプ運転”が開始され、所定の条件を満たした場合であっても、監視データレコードは削除されないことがわかる。なお、ポンプ運転が開始されたことを表す信号であるため、プロセス値は空値である。なお、図４に示される監視データテーブルは一具体例に過ぎない。そのため、図４とは異なる態様で監視データテーブルが構成されてもよい。例えば、監視データテーブルは、コントローラ３００を識別する識別子を有してもよい。
【００１９】
制御部１０４は、監視データ記憶装置１００の各部の動作を制御する。制御部１０４は、例えばＣＰＵ等のプロセッサ及びＲＡＭ（Random Access Memory）を備えた装置により実行される。制御部１０４は、監視データ記憶プログラムを実行することによって、信号取得部１０５及び監視データ制御部１０６として機能する。
【００２０】
信号取得部１０５は、コントローラ３００によって送信された信号を取得する。信号取得部１０５は、信号が取得された日時を表す日時情報と信号によって表される状態情報とを対応付ける。信号取得部１０５は、対応付けされた日時情報と状態情報とを監視データとして監視データ記憶部１０３に記録する。なお、信号取得部１０５は、信号によってプロセス値が表される場合、日時情報と状態情報とプロセス値とを対応付けて、監視データとして監視データ記憶部１０３に記録する。
【００２１】
監視データ制御部１０６は、監視操作端末２００から受け付けた指示に基づいて、監視データ記憶部１０３に記録された監視データに対して所定の制御を行う。所定の制御とは、例えば、監視データ制御部１０６は監視データを外部記憶媒体１１０に記録する制御であってもよいし、外部記憶媒体１１０に記録された監視データを監視データ記憶部１０３に記録する制御であってもよいし、指定された監視データを削除されないように、保護する制御であってもよい。所定の制御は、監視データに対する制御であればどのような制御であってもよい。監視データ制御部１０６は、所定の条件を満たした監視データを削除する。所定の条件とは、例えば、予め指定された期間を経過したことであってもよいし、監視操作端末２００から指定されたことであってもよいし、外部記憶媒体１１０に記録されたことであってもよい。所定の条件は、どのような条件であってもよい。
【００２２】
図３は、実施形態の監視操作端末２００の機能構成を表す機能ブロック図である。監視操作端末２００は、バスで接続されたＣＰＵやメモリや補助記憶装置などを備え、監視プログラムを実行することによって通信部２０１、入力部２０２、表示部２０３及び制御部２０４を備える装置として機能する。なお、通信部２０１、入力部２０２、表示部２０３及び制御部２０４の各機能の全て又は一部は、ＡＳＩＣやＰＬＤやＦＰＧＡ等のハードウェアを用いて実現されてもよい。監視プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。監視プログラムは、電気通信回線を介して送信されてもよい。監視操作端末は、監視データ再生装置の一態様である。
【００２３】
通信部２０１は、ネットワークインタフェースである。通信部２０１は監視ネットワーク４００を介して、監視データ記憶装置１００及び複数のコントローラ３００と通信する。通信部２０１は、例えば無線ＬＡＮ、有線ＬＡＮ、Ｂｌｕｅｔｏｏｔｈ（登録商標）又はＬＴＥ等の通信方式で通信してもよい。
【００２４】
入力部２０２は、タッチパネル、マウス及びキーボード等の入力装置を用いて構成される。入力部２０２は、入力装置を監視操作端末２００に接続するためのインタフェースであってもよい。この場合、入力部２０２は、入力装置において入力された入力信号から入力データ（例えば、監視操作端末２００に対する指示を示す指示情報）を生成し、監視操作端末２００に入力する。
【００２５】
表示部２０３は、ＣＲＴ（Cathode Ray Tube）ディスプレイ、液晶ディスプレイ、有機ＥＬ（Electro Luminescence）ディスプレイ等の出力装置である。表示部２０３は、出力装置を監視操作端末２００に接続するためのインタフェースであってもよい。この場合、表示部２０３は、映像データから映像信号を生成し自身に接続されている映像出力装置に映像信号を出力する。
【００２６】
制御部２０４は、監視操作端末２００の各部の動作を制御する。制御部２０４は、例えばＣＰＵ等のプロセッサ及びＲＡＭを備えた装置により実行される。制御部２０４は、監視プログラムを実行することによって、監視データ取得部２０５、画面生成部２０６、監視データ保護制御部２０７、監視データ記録部２０８及び動画データ生成部２０９として機能する。
【００２７】
監視データ取得部２０５は、監視データ記憶装置１００に記録された監視データを取得する。監視データ取得部２０５は、取得された監視データを画面生成部２０６に出力する。監視データ取得部２０５は、入力部２０２から受け付けた指示に基づいて、監視データ記憶装置１００から取得される監視データを決定する。例えば、入力部２０２が、日時情報として“２０１８／１／３０  １２：１５”を受け付けた場合、監視データ取得部２０５は、日時情報として“２０１８／１／３０  １２：１５”の値を有する監視データを取得する。なお、入力部２０２によって入力される日時は、表示部２０３に表示されてもよい。この場合、ユーザは、表示部２０３に表示される日時を確認しながら、日時情報を入力できる。なお、監視データ取得部２０５は、時系列に沿って受け付けた日時以降の監視データを連続して取得して、画面生成部２０６に出力してもよい。なお、入力部２０２は、日時情報の代わりに状態情報を受け付けてもよい。監視データ取得部２０５は、監視データ記憶装置１００が備える外部入出力部１０２に外部記憶媒体１１０が接続されている場合、外部記憶媒体１１０に記録された監視データを取得してもよい。監視データ取得部２０５は、所定の期間を経過しても削除されないことを示す保護情報を有し、かつ所定の期間を経過した監視データを監視データ記憶部１０３から取得する。所定の期間とは、例えば、予め定められた監視データの保存期間である。
【００２８】
画面生成部２０６は、監視対象の稼働の状態を示すプロセスフロー画面の画面情報を生成する。プロセスフロー画面は、監視データ再生システム１が監視する対象である一つ以上の監視対象の状態を表す状態情報を、時系列で表示するための画面である。つまり、プロセスフロー画面には、監視対象に発生した事象を模式的に再現する動画像が表示される。具体的には、画面生成部２０６は、監視データ取得部２０５から監視データを受け付けると、監視データに基づいてプロセスフロー画面の一画面を示す画面情報を生成する。例えば、受け付けた監視データに“ポンプ稼働”の状態情報を有する監視データが含まれる場合、画面生成部２０６は、監視対象のポンプが稼働していることを示すアイコンを含む画面情報を生成する。画面生成部２０６は、生成された画面情報を表示部２０３に表示させる。画面生成部２０６は、監視データ取得部２０５から、時系列に沿って連続して監視データを受け付けることで、連続して画面情報を生成し、表示部２０３に表示させることでプロセスフロー画面の動画像を再生する。画面生成部２０６は、保護情報の値として“保護する”の値を保持する監視データに基づいて、所定の期間よりも過去の前記監視対象の状態を表す画面情報を生成することができる。
【００２９】
監視データ保護制御部２０７は、指定された監視データが削除されないように保護する。具体的には、監視データ保護制御部２０７は、入力部２０２から監視データの保護指示を受け付ける。保護指示には、監視データテーブルに記録される監視データレコードを特定可能な情報（例えば、日時情報及び状態情報）と、保護情報とが含まれる。保護情報は、“保護する”又は“保護しない”のいずれかの値である。監視データ保護制御部２０７は、保護指示によって特定される監視データレコードの保護情報を保護指示に含まれる保護情報にする。保護指示は、入力部２０２を介して、ユーザによって入力される。例えば、日時情報が“２０１８／１／３０  １２：４０”、状態情報が“ポンプ故障”、保護情報が“保護する”を含む保護指示を受け付けた場合、監視データ保護制御部２０７は、日時情報が“２０１８／１／３０  １２：４０”、状態情報が“ポンプ故障”によって特定される監視データレコードの保護情報を“保護する”にする。なお、保護指示は、複数の監視データレコードを保護させる指示であってもよい。この場合、保護指示は、監視データレコードを特定可能な情報を複数含む。
【００３０】
監視データ記録部２０８は、監視データ記憶装置１００に記憶された監視データを外部記憶媒体１１０に記録する。具体的には、監視データ記録部２０８は、入力部２０２から監視データの記録指示を受け付ける。記録指示には、監視データテーブルに記録される監視データレコードを特定可能な情報（例えば、日時情報及び状態情報）が含まれる。監視データ記録部２０８は、記録指示によって特定される監視データレコードを取得する。監視データ記録部２０８は、取得された監視データレコードを外部記憶媒体１１０に記録する。なお、記録指示は、複数の監視データレコードを記録させる指示であってもよい。この場合、記録指示は、監視データレコードを特定可能な情報を複数含む。監視データ記録部２０８は、外部記憶媒体１１０に記録した監視データレコードを、監視データ記憶装置１００から削除するように構成されてもよい。
【００３１】
動画データ生成部２０９は、画面生成部２０６によって再生されたプロセスフロー画面を、動画データとして生成する。動画データは、例えばＭＰＥＧ（Moving Picture Experts Group）形式であってもよいしＡＶＩ（Audio Video Interleave）形式であってもよく、監視操作端末２００以外の任意の情報処理装置で再生できるならばどのような形式であってもよい。動画データ生成部２０９は、生成された動画データを、外部入出力部１０２に接続された外部記憶媒体１１０に記録してもよいし、監視操作端末２００が備える記憶部（不図示）に記録してもよい。
【００３２】
図５は、実施形態のプロセスフロー画面の画面情報の一具体例を示す図である。画面生成部２０６は、監視データ取得部２０５から取得した監視データに基づいて、プロセスフロー画面の画面情報を生成する。画面生成部２０６は、プロセスフロー画面の画面情報を時系列に沿って生成し、表示部２０３に表示させることで、プロセスフロー画面を再生する。図５に示すプロセスフロー画面には、一例として、日時シンボル５００と、数値シンボル５１０と、ポンプアイコン５２０と、調整機構アイコン５３０と、貯槽アイコン５４０とが表示される。
【００３３】
日時シンボル５００は、監視データに含まれる日時情報を示す。図５の場合、日時シンボルの値は“２０１８／６／１８  １４：１５：２２”である。したがって、図５の表示部２０３に表示される画面情報は、日時情報の値として“２０１８／６／１８  １４：１５：２２”を有する監視データに基づいて生成される。
【００３４】
数値シンボル５１０は、監視データに含まれるプロセス値を示すシンボルである。数値シンボル５１０−１には、状態情報としてポンプへ流入する水の流量を有する監視データのプロセス値が表示される。数値シンボル５１０−２には、状態情報として調整機構アイコン５３０−１から流出した水の流量を有する監視データのプロセス値が表示される。数値シンボル５１０−３には、状態情報として調整機構アイコン５３０−２から流出した水の流量を有する監視データのプロセス値が表示される。数値シンボル５１０−４には、状態情報として貯槽アイコン５４０−１に貯留される水の水位を有する監視データのプロセス値が表示される。数値シンボル５１０−５には、状態情報として貯槽アイコン５４０−２に貯留される水の水位を有する監視データのプロセス値が表示される。数値シンボル５１０−６には、状態情報として調整機構アイコン５３０−３から流出した水の流量を有する監視データのプロセス値が表示される。数値シンボル５１０−７には、状態情報として調整機構アイコン５３０−４から流出した水の流量を有する監視データのプロセス値が表示される。
【００３５】
ポンプアイコン５２０は、監視対象の一例としてのポンプを示すアイコンである。ポンプアイコン５２０は、ポンプが稼働中であるか否かに応じてアイコンの色が異なる。例えば、ポンプアイコン５２０−１と、ポンプアイコン５２０−２及びポンプアイコン５２０−３と、はアイコンの色が異なる。すなわち、ポンプアイコン５２０−１によって表されるポンプは、稼働中であることがわかる。これに対して、ポンプアイコン５２０−２及びポンプアイコン５２０−３によって表されるポンプは、稼働中でないことがわかる。ポンプが稼働中であるか否かは、監視データに含まれる状態情報によって特定される。
【００３６】
調整機構アイコン５３０は、監視対象の一例としての調整機構（例えば、調整弁）を示すアイコンである。調整機構アイコン５３０は、調整機構が稼働中であるか否かに応じて、アイコンの色が異なる。例えば、調整機構が調整弁である場合、調整弁が開いている場合と、調整弁が閉じている場合と、でアイコンの色が異なる。調整機構アイコン５３０−１と、調整機構アイコン５３０−２、調整機構アイコン５３０−３及び調整機構アイコン５３０−４と、はアイコンの色が異なる。すなわち、調整機構アイコン５３０−１によって表される調整機構は、稼働中（例えば、調整弁が開いている）であることがわかる。これに対して、調整機構アイコン５３０−２、調整機構アイコン５３０−３及び調整機構アイコン５３０−４によって表される調整機構は、稼働中でない（例えば、調整弁が閉じている）ことがわかる。調整機構が稼働中であるか否かは、監視データに含まれる状態情報によって特定される。
【００３７】
貯槽アイコン５４０は、監視対象の一例としての貯槽を示すアイコンである。貯槽には例えば、水が貯留される。貯槽に貯留される水の量は、数値シンボル５１０によって表される。貯槽アイコン５４０は、貯槽に貯留される水の量に応じて、アイコンの水位が変動するように構成されてもよい。例えば、貯槽アイコン５４０−１で表される貯槽の水位は、数値シンボル５１０−４によって表される。数値シンボル５１０−４は、プロセス値として“４．３５”を表す。したがって、貯槽アイコン５４０−１は、４．３５の高さの水位を持つアイコンとして表される。また、貯槽アイコン５４０−２で表される貯槽の水位は、数値シンボル５１０−５によって表される。数値シンボル５１０−５は、プロセス値として“４．３５”を表す。したがって、貯槽アイコン５４０−２は、４．３５の高さの水位を持つアイコンとして表される。なお、貯槽アイコン５４０は、貯槽に貯留される水の量に関わらず、アイコンの水位が変動しないように構成されてもよい。この場合、貯槽アイコン５４０の水位は、プロセス値にかかわらず同じアイコンが表示される。
【００３８】
プロセスフロー画面は時間の経過に応じて変動する。例えば、日時シンボルの値が“２０１８／６／１８  １４：１７：３２”の時に、ポンプアイコン５２０−２のアイコンの色が変わった場合（例えば、ポンプアイコン５２０−１と同じ色）、ポンプアイコン５２０−２によって表されるポンプは稼働中になったことがわかる。このようにユーザは時間の経過に応じて変化するプロセスフロー画面を見ることで、監視対象の状態の変化を確認することができる。図５のように、プロセスフロー画面で監視対象の状態が表されることで、カメラによる映像では記録することができない監視対象の状態（例えば、流量等）についても、模式的に再現する動画像を表示することができるようになる。また、プロセスフロー画面を用いることで、一目では把握することが難しい広大な水処理プラントを一目で把握することが容易になる。
【００３９】
このように構成された監視データ再生システム１では、監視データ記憶装置１００に記録された監視データレコードは、保護情報を有する。監視データレコードは、保護情報を有することで、所定期間が経過した場合でも削除されないように保護される。したがって、画面生成部２０６は、所定期間が経過した監視データレコードに基づいて、画面情報を生成することが可能になる。したがって、過去の画面情報を現在又は未来において再生できるようになるため、ユーザは、任意の期間における監視対象の状態を確認することができる。
【００４０】
また、過去の画面情報を用いて他者の教育用の資料に使用することができる。このように画面情報を用いることで、教育の対象者は、平時と異常気象又は災害等の平時ではない時等と容易に比較することができるようになる。したがって、教育の対象者は、膨大な量の画面情報を確認する必要がなくなるため、より効率的に学べるようになり、トラブル対応の運用技術を効率的に伝承することが可能になる。
【００４１】
また、過去の画面情報を見学者用の資料に使用することができる。このように画面情報を用いることで、見学者は、平時と異常気象又は災害等の平時ではない時等と容易に比較することができるようになる。したがって、見学者は、好奇心を刺激され、一層の興味を持って見学をすることが可能になり、見学の質を向上させることが可能になる。
【００４２】
また、監視データ再生システム１は、監視データ記憶装置１００に接続された外部記憶媒体１１０に監視データレコードを記録させることができる。このため、監視データ記憶装置１００の監視データ記憶部１０３の記憶容量が、監視データレコードで一杯になった場合であっても、外部記憶媒体１１０に監視データレコードを記録させることで、監視データ記憶部１０３から削除することが可能になる。したがって、ユーザは、監視データ記憶部１０３の記憶容量を気にすることなく、監視データレコードを保護することが可能になる。
【００４３】
また、監視操作端末２００が備える動画データ生成部２０９は、画面生成部２０６によって再生された画面情報を、動画データとして生成する。動画データは、ＭＰＥＧ形式又はＡＶＩ形式等の情報処理装置で再生できる形式で生成される。このため、従来は監視操作端末２００でしか視聴できなかった画面情報を、様々な情報処理装置で再生できるようになる。したがって、例えば顧客先で説明をする場合、新規顧客に提案活動をする場合等に動画データを顧客に視聴させることで、購買意欲を高めることが可能になる。
【００４４】
本実施形態では、保護情報の値として“保護する”及び“保護しない”の２値を用いて説明したが、保護情報の値は２値に限定されない。例えば、保護情報の値として、監視データが保護される期限日が設定されてもよい。期限日が経過した監視データは削除される。このように構成されることで、保護が不要になった監視データを都度削除する手間を省略することができ、より効率的に監視対象の監視を行うことが可能になる。
【００４５】
本実施形態では、監視データ記憶装置１００は、一台の装置であるとして説明したが、複数の装置として構成されてもよい。監視データ記憶装置１００は、監視データを記録する記録媒体と、監視データを取得又は制御する制御装置と、で構成される複数の装置として構成されてもよい。この場合、監視操作端末２００は、監視データを取得又は制御する制御装置を備え、監視データ記憶装置１００は、単なる記録媒体として構成されてもよい。監視操作端末２００は、一台の装置であるとして説明したが、複数の装置として構成されてもよい。監視データ記憶装置１００又は監視操作端末２００は、クラウドコンピューティングシステムによって構成されてもよい。また、監視データ記憶装置１００と監視操作端末２００は、異なる装置であるとして説明したが、単一の装置として構成されてもよい。
【００４６】
上記各実施形態では、信号取得部１０５、監視データ制御部１０６、監視データ取得部２０５、画面生成部２０６、監視データ保護制御部２０７、監視データ記録部２０８及び動画データ生成部２０９はソフトウェア機能部であるものとしたが、ＬＳＩ等のハードウェア機能部であってもよい。
【００４７】
以上説明した少なくともひとつの実施形態によれば、画面生成部２０６、監視データ保護制御部２０７、監視データ記録部２０８及び動画データ生成部２０９を持つことにより、任意の期間における監視対象の状態を確認することができる。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１…監視データ再生システム、１００…監視データ記憶装置、１０１…通信部、１０２…外部入出力部、１０３…監視データ記憶部、１０４…制御部、１０５…信号取得部、１０６…監視データ制御部、１１０…外部記憶媒体、２００…監視操作端末、２０１…通信部、２０２…入力部、２０３…表示部、２０４…制御部、２０５…監視データ取得部、２０６…画面生成部、２０７…監視データ保護制御部、２０８…監視データ記録部、２０９…動画データ生成部、３００…コントローラ、４００…監視ネットワーク
【図１】
2020017213.tif 000003
【図２】
2020017213.tif 000004
【図３】
2020017213.tif 000005
【図４】
2020017213.tif 000006
【図５】
2020017213.tif 000007